(57)【要約】【課題】  節電モード状態から非節電モードに復帰するためのウォームアップ時間中では低い通信速度で印刷データを受信し、印刷データを受信する際の消費電力を抑えるようにする。【解決手段】  通信モード設定部１０２は、節電モードになったことを検出するとともに、非節電モードになったことを検出する。通信モード設定部１０２は、非節電モードになったことを検出した場合には、上位装置５０との間の通信速度を低速な通信速度から高速な通信速度に切り替える要求を通信制御部１０１に出力する。また、通信モード設定部１０２は、節電モードになったことを検出した場合には、上位装置５０との間の通信速度を高速な通信速度から低速な通信速度に切り替える要求を通信制御部１０１に出力する。通信制御部１０１は、通信モード設定部１０２からの上記要求に従った通信速度に切り替える。【選択図】  図１
2010076325.tif 000002
【特許請求の範囲】
【請求項１】
低速な通信速度及び高速な通信速度のいずれかにより、印刷データを送信する上位装置と通信接続され、かつ、前記上位装置から印刷データを受信していないときに電力の消費を低減させる状態にあることを示す節電モードと、該上位装置から前記印刷データを受信して前記節電モードから該印刷データを印刷することが可能な状態にあることを示す非節電モードとを有する画像処理装置において、
前記節電モードになったことを検出する節電モード検出手段と、
前記非節電モードになったことを検出する非節電モード検出手段と、
前記非節電モード検出手段により前記非節電モードになったことが検出された場合には、前記上位装置との間の通信速度を低速な通信速度から高速な通信速度に切り替え、前記節電モード検出手段により前記節電モードになったことが検出された場合には、前記上位装置との間の通信速度を高速な通信速度から低速な通信速度に切り替える通信速度切替え手段と
を備えることを特徴とする画像処理装置。
【請求項２】
前記節電モード検出手段により検出される節電モードを通知する節電モード信号を出力する節電モード信号出力手段と、
前記非節電モード検出手段により検出される非節電モードを通知する非節電モード信号を出力する非節電モード信号出力手段と
を更に備え、
前記節電モード検出手段は、前記節電モード信号出力手段により前記節電モード信号が出力されると、節電モードになったことを検出し、
前記非節電モード検出手段は、前記非節電モード信号出力手段により前記非節電モード信号が出力されると、非節電モードになったことを検出することを特徴とする請求項１記載の画像処理装置。
【請求項３】
前記節電モード信号出力手段を含み、前記上位装置から印刷データが送信されてきたときに電力を供給し、該上位装置から印刷データが送信されなくなると電力を供給することを停止する電力供給手段と、
前記上位装置から印刷データが送信されなくなると、前記電力供給手段に電力を供給することを停止させる要求を出力する電力供給停止要求出力手段と
を更に備えることを特徴とする請求項２記載の画像処理装置。
【請求項４】
前記上位装置から送信されてきた印刷データを記憶する印刷データ記憶手段と、
前記上位装置から送信されてきた印刷データを記憶する容量が、前記印刷データ記憶手段にあるか否かを判定する容量判定手段と
更に備え、
前記通信速度切替え手段は、前記容量判定手段により、前記上位装置から送信されてきた印刷データを記憶させる容量が、前記印刷データ記憶手段にないと判定された場合には、前記上位装置との間の通信接続を高速な通信速度から低速な通信速度に切り替ることを特徴とする請求項１乃至３のいずれかに記載の画像処理装置。
【請求項５】
ネットワークに接続し、データの送受信を行うとともに画像処理を行う画像処理装置であって、
通信速度の異なる複数の通信モードの何れかで動作する通信制御部と、
該通信制御部の通信モードを設定する通信モード設定部と
を備え、
前記通信モード設定部は、装置状態を監視する監視制御部を有し、前記装置状態に応じて通信モードの設定を変更する
ことを特徴とする画像処理装置。
【請求項６】
前記複数の通信モードは、低速通信モード及び高速通信モードからなり、
前記監視制御部は、装置が節電状態であるか否かを判断し、節電状態であると判断すると、更に前記通信制御部に設定されている通信モードが高速通信モードであるか否かを判断し、
高速通信モードであると判断されると、前記通信モード設定部は、該高速通信モードを低速通信モードに変更する
ことを特徴とする請求項５記載の画像処理装置。
【請求項７】
受信データを格納する記憶部と、
前記記憶部の残容量を判断する容量判断部と
を更に備え、
前記複数の通信モードは、低速通信モード及び高速通信モードからなり、
前記容量判断部により前記記憶部の残容量が所定以下と判断されると、前記通信モード設定部は、前記通信制御部に低速通信モードを設定する
ことを特徴とする請求項５記載の画像処理装置。
【発明の詳細な説明】
【技術分野】
【０００１】
本発明は、上位装置から受信した印刷データを印刷媒体に印刷する画像処理装置に関する。
【背景技術】
【０００２】
従来の画像処理装置は、省電力化を図るため、印刷動作を行わない場合や、一定時間、ホストコンピュータから印刷データが送信されてこなかった場合には、定着器に電源供給を停止するなどの省電力状態を示す節電モードを設けていた。近年、更なる省電力を実現するために、節電モードにおいて、更に、画像処理装置のコントローラボードに対しても省電力化の要求が高まってきて、コントローラボードに対する電源供給を停止させる制御方法も提案されている（例えば、特許文献１参照）。
【０００３】
ところで、近年、画像処理装置は、処理する印刷データのデータ量が益々増大するに伴い、データ通信速度も高まっているが、ホストコンピュータから印刷データを受信した際に、通信速度が高速であればあるほど、消費する電力が大きくなってしまう。一方、画像処理装置は、印刷データを送信するホストコンピュータと通信接続するときには、相互の間でオートネゴシエーションを行い、使用可能な最高のデータ通信速度を設定している。
【特許文献１】特開２０００−１４１８２０号公報
【発明の開示】
【発明が解決しようとする課題】
【０００４】
上述した従来の画像処理装置では、節電モード状態で印刷データを受信した場合には、節電モード状態から印刷が可能な状態を示す非節電モードに復帰するためのウォームアップ時間が必要である。このウォームアップ時間は、印刷データを受信し、この印刷データを印刷可能なビットマップデータに展開する時間よりも大きいことがある。このため、オートネゴシエーションを行って設定した高い通信速度で印刷データをホストコンピュータから受信しても、この高い通信速度を生かすことができず、しかも、印刷データを受信する際に消費電力が大きくなってしまうという問題点があった。
【０００５】
そこで、本発明は上述した問題点に鑑み、節電モード状態から非節電モードに復帰するためのウォームアップ時間中では低い通信速度で印刷データを受信し、印刷データを受信する際の消費電力を抑えることが可能な画像処理装置を提供することを目的とする。
【課題を解決するための手段】
【０００６】
上記課題を解決するため、請求項１記載の発明は、低速な通信速度及び高速な通信速度のいずれかにより、印刷データを送信する上位装置と通信接続され、かつ、前記上位装置から印刷データを受信していないときに電力の消費を低減させる状態にあることを示す節電モードと、該上位装置から前記印刷データを受信して前記節電モードから該印刷データを印刷することが可能な状態にあることを示す非節電モードとを有する画像処理装置において、前記節電モードになったことを検出する節電モード検出手段と、前記非節電モードになったことを検出する非節電モード検出手段と、前記非節電モード検出手段により前記非節電モードになったことが検出された場合には、前記上位装置との間の通信速度を低速な通信速度から高速な通信速度に切り替え、前記節電モード検出手段により前記節電モードになったことが検出された場合には、前記上位装置との間の通信速度を高速な通信速度から低速な通信速度に切り替える通信速度切替え手段とを備えることを特徴とする。
【発明の効果】
【０００７】
以上、本発明によれば、節電モード状態から非節電モードに復帰するためのウォームアップ時間中では低い通信速度で印刷データを受信するようにしたので、印刷データを受信する際の消費電力を抑えることができる。
【発明を実施するための最良の形態】
【０００８】
次に、本発明を実施するための最良の形態を説明する。
【実施例１】
【０００９】
図１は、本発明に係る実施例１の画像処理装置の構成を示すブロック図である。図１に示すように、実施例１の画像処理装置は、ＬＡＮを介して上位装置５０と通信接続され、上位装置５０から印刷データを受信すると、この印刷データを印刷媒体に印刷する装置であって、画像形成制御部１０と、プリンタエンジン１１と、電源部１２と、パルストランス１３（図２参照）とを備える。
【００１０】
画像形成制御部１０は、通信制御部１０１、通信モード設定部１０２、及び、プリンタ制御部１０３とを備える。通信制御部１０１は、図２に示すように、ＰＨＹ部１０１１、ＥＥＰＲＯＭ１０１２、メモリ部１０１３、ＭＡＣ部１０１４、送受信制御部１０１５、及び、信号生成部１０１６を備える。
【００１１】
ＰＨＹ部１０１１は、後述する高速モード設定値に示された通信速度で情報を上位装置５０に送信する高速送信部１０１１ａ、高速モード設定値に示された通信速度で上位装置５０から情報を受信する高速受信部１０１１ｂ、後述する低速モード設定値に示された通信速度で情報を上位装置５０に送信する低速送信部１０１１ｃ、低速モード設定値に示された通信速度で上位装置５０から情報を受信する低速受信部１０１１ｄを備える。
【００１２】
高速送信部１０１１ａと低速送信部１０１１ｃ、高速受信部１０１１ｂと低速受信部１０１１ｄは、伝送方式や通信速度の違いから回路構成を異にする。このため、高速送信部１０１１ａ及び高速受信部１０１１ｂの方が低速送信部１０１１ｃ及び低速受信部１０１１ｄより消費電力が大きい。例えば、ＩＣＰｌｕｓ社のギガビットＬＡＮコントローラＩＰ１０００Ａでは、１００ＢＡＳＥに規定された通信速度のときの消費電力が０．６４Ｗであるのに対し、１，０００ＢＡＳＥに規定された通信速度のときの消費電力は２．０５Ｗであり、３倍以上多くの電力が消費される。
【００１３】
ここで、高速モード設定値とは、上位装置５０と自装置との間で最も高速な通信速度で通信接続するときの通信速度であって、その通信速度は、１，０００Ｍｂｉｔ／ｓｅｃである。低速モード設定値とは、上位装置５０と自装置との間で最も低速な通信速度で通信接続するときの通信速度であって、その通信速度は、１００Ｍｂｉｔ／ｓｅｃである。因みに、１０００ＢＡＳＥ−Ｔの仕様には、通信ケーブルとして非シールドより対線を使用し、この非シールドより対線が４対で形成され、かつ、１２５ＭＨｚのクロック周波数を使用すること等が規定されている。なお、１対あたり２５０Ｍｂｉｔ／ｓｅｃを転送可能としている。１００ＢＡＳＥ−ＴＸの仕様には、通信ケーブルとしての非シールドより対線を使用し、この非シールドより対線がＬＡＮに使用される場合には最長１００ｍまであって、媒体アクセス制御としてＣＳＭＡ／ＣＤを用いることが規定されている。
【００１４】
また、ＰＨＹ部１０１１は、高速送信部１０１１ａとパルストランス１３との間の通信接続を開放又は遮断するゲートを有するゲート回路１０１１ｅ、高速受信部１０１１ｂとパルストランス１３との間の通信接続を開放又は遮断するゲートを有するゲート回路１０１１ｆ、低速送信部１０１１ｃとパルストランス１３との間の通信接続を開放又は遮断するゲートを有するゲート回路１０１１ｇ、低速受信部１０１１ｄとパルストランス１３との間の通信接続を開放又は遮断するゲートを有するゲート回路１０１１ｈを備える。
【００１５】
ＥＥＰＲＯＭ１０１２は、後述するＭＡＣアドレスを記憶するとともに、ゲート回路開閉リストを記憶する。図３に示すように、ゲート回路開閉リストには、後述する送信モード設定値に対応した、ゲート回路１０１１ｅ、ゲート回路１０１１ｆ、ゲート回路１０１１ｇ、及び、ゲート回路１０１１ｈのゲートの開閉を規定する開閉情報が記述されている。
【００１６】
メモリ部１０１３は、フラッシュメモリからなり、記憶部として、上位装置５０から送信されてきた印刷データを記憶する。
【００１７】
ＭＡＣ部１０１４は、上位装置５０が送信した通信速度宣言情報又は印刷データがＰＨＹ部１０１１を介して入力されると、ＥＥＰＲＯＭ１０１２に記憶されている自装置に割り当てられているＭＡＣアドレスを読み出し、この読み出したＭＡＣアドレスと、入力された通信速度宣言情報又は印刷データを包含するパケットのヘッダー情報に記述されているＭＡＣアドレスとを比較する。そして、ＭＡＣ部１０１４は、両者が一致すると判定すると、通信速度宣言情報又は印刷データを送受信制御部１０１５に入力し、一方、両者が一致しないと判定すると、送受信制御部１０１５に入力することなしに通信速度宣言情報又は印刷データを廃棄する。ここで、通信速度宣言情報とは、通信可能な通信速度を宣言した情報である。
【００１８】
図２に示す送受信制御部１０１５は、高速送信部１０１１ａ及び高速受信部１０１１ｂ、又は、低速送信部１０１１ｃ及び低速受信部１０１１ｄを介して上位装置５０との間で通信接続することが可能な状態にさせる要求を通信速度判定制御部１０２１（図４参照）から受けると、送受信レジスタ部１０２３の送信レジスタ１０２３ｂから送信モード設定値（上位装置５０に対して情報を送信するときの通信速度）を読み出し、ＥＥＰＲＯＭ１０１２のゲート回路開閉リストを参照し、読み出した送信モード設定値に対応するゲート回路１０１１ｅ、ゲート回路１０１１ｆ、ゲート回路１０１１ｇ、及び、ゲート回路１０１１ｈのゲート回路開閉情報を読み出す。そして、送受信制御部１０１５は、読み出したゲート回路開閉情報に従って、ゲート回路１０１１ｅ、ゲート回路１０１１ｆ、ゲート回路１０１１ｇ、及び、ゲート回路１０１１ｈにゲートの開閉を実行させる要求を出力する。
【００１９】
また、送受信制御部１０１５は、通信速度判定制御部１０２１から自装置の通信速度宣言情報を生成させる要求を受けると、送信レジスタ１０２３ｂから送信モード設定値を読み出し、この送信モード設定値を信号生成部１０１６に出力する。
【００２０】
信号生成部１０１６は、送受信制御部１０１５から送信モード設定値が入力されると、この送信モード設定値に示された通信速度で通信接続することを宣言する通信速度宣言情報を生成し、この通信速度宣言情報をＰＨＹ部１０１１に出力する。
【００２１】
図１に示す通信モード設定部１０２は、図４に示すように、通信速度判定制御部１０２１と、通信モード設定値記憶部１０２２と、送受信レジスタ部１０２３とを備える。
【００２２】
通信速度判定制御部１０２１は、自装置の状態を監視する監視制御部としての機能を有する。通信速度判定制御部１０２１は、信号レベルがＬｏｗレベルのウォームアップ信号が入力され、かつ、信号レベルがＬｏｗレベルの節電モード信号が入力されると、送受信レジスタ部１０２３の受信レジスタ１０２３ａに記憶されている受信モード設定値、及び、送信レジスタ１０２３ｂに記憶されている送信モード設定値を消去する。
【００２３】
また、通信速度判定制御部１０２１は、低速モードの通信速度で自装置と上位装置５０との間を通信接続する場合には、通信モード設定値記憶部１０２２の低速モード設定値領域１０２２ａから低速モード設定値を読み出し、この低速モード設定値を送信モード設定値として送受信レジスタ部１０２３の送信レジスタ１０２３ｂに書き込む。
【００２４】
次に、通信速度判定制御部１０２１は、低速送信部１０１１ｃ及び低速受信部１０１１ｄを介して、上位装置５０との間で通信接続することを要求する指示を送受信制御部１０１５に出力する。ここで、低速モード設定値には、自装置と上位装置５０との間の通信速度を低速な通信速度「１００Ｍｂｉｔ／ｓｅｃ」が記述されている。
【００２５】
また、通信速度判定制御部１０２１は、高速モードの通信速度で自装置と上位装置５０との間を通信接続する場合には、通信モード設定値記憶部１０２２の高速モード設定値領域１０２２ｂから高速モード設定値を読み出し、この高速モード設定値を送信モード設定値として送受信レジスタ部１０２３の送信レジスタ１０２３ｂに書き込む。次に、通信速度判定制御部１０２１は、高速送信部１０１１ａ及び高速受信部１０１１ｂを介して、上位装置５０との間で通信接続することを要求する指示を送受信制御部１０１５に出力する。ここで、高速モード設定値には、自装置と上位装置５０との間の通信速度を高速な通信速度「１，０００Ｍｂｉｔ／ｓｅｃ」が記述されている。
【００２６】
通信モード設定値記憶部１０２２は、低速モード設定値を記憶する低速モード設定値領域１０２２ａと、高速モード設定値を記憶する高速モード設定値領域１０２２ｂとを有する。
【００２７】
送受信レジスタ部１０２３は、上位装置５０から受信した通信速度宣言情報に記述されている通信速度を記憶する受信レジスタ１０２３ａと、前述の送信モード設定値が記憶される送信レジスタ１０２３ｂとを備える。
【００２８】
図１に示すプリンタ制御部１０３は、上位装置５０から受信した印刷データから、プリンタエンジン１１が印刷媒体に印刷可能なビットマップデータを生成し、この生成したビットマップデータをプリンタエンジン１１に出力する。また、プリンタ制御部１０３は、印刷が終了すると、節電モードに移行するために、予め決められた期間を計時することを要求する指示をタイマ１２２に出力する。
【００２９】
プリンタエンジン１１は、印字ヘッド、ドラム、定着器、転写器等で構成され、プリンタ制御部１０３から入力されたビットマップデータからなる印刷データを印刷媒体に印刷する。また、プリンタエンジン１１は、電源部１２から電力が供給され始めると、信号レベルがＬｏｗレベルのウォームアップ信号を通信モード設定部１０２の通信速度判定制御部１０２１に出力する。また、プリンタエンジン１１は、ウォームアップが完了した状態になると、信号レベルがＨｉｇｈレベルのウォームアップ完了信号を通信速度判定制御部１０２１に出力する。ここで、ウォームアップ信号とは、プリンタエンジン１１が電源部１２から電力の供給が停止され、プリンタエンジン１１が節電状態であることを示す節電モードにおいて、プリンタエンジン１１が電源部１２から電力が再び供給され、印刷が可能である状態を示す非節電モードになるまでのウォームアップしている状態を示す信号である。
【００３０】
電源部１２は、プリンタエンジン１１に電力を供給するものであっって、電力供給部（図示せず）と、ヒータ制御回路１２１と、タイマ１２２とを備える。電力供給部は、節電モードの場合には、省電力を図るため、定着器の温度が印刷可能温度より低い温度に設定するための電力を出力し、一方、非節電モードの場合には、定着器の温度が印刷可能温度に設定するための電力を出力する。ここで、節電モードとは、印刷する印刷データがない場合に定着器の温度を下げ、電力を供給する状態をいう。また、非節電モードとは、定着器の温度が印刷可能な温度にするように電力を供給する状態をいう。
【００３１】
ヒータ制御回路１２１は、通信モード設定部１０２の通信速度判定制御部１０２１に節電モードであることを示す信号レベルがＬｏｗレベルの節電モード信号を出力し、また、非節電モードであることを示す信号レベルがＨｉｇｈレベルの非節電モード信号を出力する。タイマ１２２は、プリンタ制御部１０３の指示に従い、予め決められた期間を計時する。
【００３２】
次に、本発明に係る実施例１の画像処理装置の動作を説明する。
【００３３】
図５及び図６は、本発明に係る実施例１の画像処理装置の動作を示すフローチャートである。図５のフローチャートは、上位装置５０から印刷データを受信して記憶するまでの動作を示している。通信制御部１０１のＰＨＹ部１０１１は、上位装置５０から印刷データを受信する前に、通信速度宣言情報を受信すると（ステップＳ１）、この通信速度宣言情報をＭＡＣ部１０１４に出力する。
【００３４】
その後、ＭＡＣ部１０１４は、通信速度宣言情報のＭＡＣアドレスを読み出し、このＭＡＣアドレスと、ＥＥＰＲＯＭ１０１２に記憶されている自装置のＭＡＣアドレスとを比較する。ＭＡＣ部１０１４は、両者の一致を確認すると、通信速度宣言情報を送受信制御部１０１５に入力する。
【００３５】
送受信制御部１０１５は、ＭＡＣ部１０１４から通信速度宣言情報が入力されると、この通信速度宣言情報に記述されている通信速度を受信モード設定値として通信モード設定部１０２の受信レジスタ１０２３ａに書き込むとともに、受信レジスタ１０２３ａに受信モード設定値を書き込んだ旨の通知を通信速度判定制御部１０２１に出力する。
【００３６】
通信速度判定制御部１０２１は、前述の通知が送受信制御部１０１５から入力されると、電源部１２のヒータ制御回路１２１から入力されている信号が節電モード信号であるか否かを判定する（ステップＳ２）。通信速度判定制御部１０２１は、電源部１２のヒータ制御回路１２１から入力されている信号が節電モード信号でないと判定した場合には（ステップＳ２；Ｎ）、送受信レジスタ部１０２３の受信レジスタ１０２３ａに記憶されている受信モード設定値が通信速度「１，０００Ｍｂｉｔ／ｓｅｃ」の高速モード設定値であるか否かを判定する（ステップＳ３）。
【００３７】
通信速度判定制御部１０２１は、受信レジスタ１０２３ａに記憶されている受信モード設定値が高速モード設定値であると判定した場合には（ステップＳ３；Ｙ）、通信モード設定値記憶部１０２２の高速モード設定値領域１０２２ｂから通信速度「１，０００Ｍｂｉｔ／ｓｅｃ」である高速モード設定値を読み出し、この高速モード設定値を送信モード設定値として送信レジスタ１０２３ｂに書き込む（ステップＳ４）。次に、通信速度判定制御部１０２１は、高速送信部１０１１ａ及び高速受信部１０１１ｂを介して、上位装置５０との間で通信接続が可能な状態にすることを要求する指示を通信制御部１０１の送受信制御部１０１５に出力する。
【００３８】
送受信制御部１０１５は、通信速度判定制御部１０２１から前述の指示を受けると、送信レジスタ１０２３ｂから通信速度が「１，０００Ｍｂｉｔ／ｓｅｃ」である送信モード設定値を読み出す。その後、送受信制御部１０１５は、ＥＥＰＲＯＭ１０１２のゲート回路開閉リストを参照し、読み出した送信モード設定値「１，０００Ｍｂｉｔ／ｓｅｃ」に対応するゲート回路１０１１ｅが「開」、ゲート回路１０１１ｆが「開」、ゲート回路１０１１ｇが「閉」、及び、ゲート回路１０１１ｈが「閉」と記述されたゲート回路開閉情報を読み出す。
【００３９】
次に、送受信制御部１０１５は、読み出したゲート回路開閉情報に従い、ゲートを開けさせる要求をゲート回路１０１１ｅ及びゲート回路１０１１ｆに出力するとともに、ゲートを閉じさせる要求をゲート回路１０１１ｇ及びゲート回路１０１１ｈに出力する。
【００４０】
ゲート回路１０１１ｅ及びゲート回路１０１１ｆはゲートを開け、ゲート回路１０１１ｇ及びゲート回路１０１１ｈはゲートを閉じる（ステップＳ５）。これにより、高速送信部１０１１ａは、上位装置５０に情報を送信することが可能な状態になり、また、高速受信部１０１１ｂは、上位装置５０から情報又は印刷データを受信することが可能な状態になる。
【００４１】
その後、送受信制御部１０１５は、通信速度が「１，０００Ｍｂｉｔ／ｓｅｃ」である送信モード設定値を信号生成部１０１６に出力する。
【００４２】
信号生成部１０１６は、送受信制御部１０１５から前述の送信モード設定値が入力されると、自装置の通信速度が「１，０００Ｍｂｉｔ／ｓｅｃ」であることを宣言する通信速度宣言情報を生成し、この通信速度宣言情報を高速送信部１０１１ａに出力する。
【００４３】
高速送信部１０１１ａは、パルストランス１３を介して前述の通信速度宣言情報を上位装置５０に送信する（ステップＳ６）。
【００４４】
その後、高速受信部１０１１ｂは、パルストランス１３を介して上位装置５０から、通信スピードが「１，００Ｍｂｉｔ／ｓｅｃ」で印刷データを受信すると（ステップＳ７）、この印刷データをＭＡＣ部１０１４に出力する。
【００４５】
ＭＡＣ部１０１４は、高速受信部１０１１ｂから入力された印刷データを送受信制御部１０１５に出力する。
【００４６】
送受信制御部１０１５は、ＭＡＣ部１０１４から入力された印刷データをメモリ部１０１３に記憶させたのち（ステップＳ８）、印刷データを記憶した旨の通知を通信速度判定制御部１０２１及びプリンタ制御部１０３に出力する。
【００４７】
通信速度判定制御部１０２１は、前述の通知が送受信制御部１０１５から入力されると、送信レジスタ１０２３ｂに記憶されている送信モード設定値が低速モード設定値であるか否かを判定する（ステップＳ９）
【００４８】
通信速度判定制御部１０２１は、送信レジスタ１０２３ｂに記憶されている送信モード設定値が低速モード設定値であると判定した場合には（ステップＳ９；Ｙ）、何もせずに処理を終了する。一方、通信速度判定制御部１０２１は、送信レジスタ１０２３ｂに記憶されている送信モード設定値が低速モード設定値でないと判定した場合には（ステップＳ９；Ｎ）、通信モード設定値記憶部１０２２の低速モード設定値領域１０２２ａから通信速度「１００Ｍｂｉｔ／ｓｅｃ」である低速モード設定値を読み出し、この低速モード設定値を送信モード設定値として送信レジスタ１０２３ｂに書き込む（ステップＳ１０）。
【００４９】
次に、通信速度判定制御部１０２１は、低速送信部１０１１ｃ及び低速受信部１０１１ｄを介して、上位装置５０との間で通信接続が可能な状態にすることを要求する指示を通信制御部１０１の送受信制御部１０１５に出力する。
【００５０】
送受信制御部１０１５は、通信速度判定制御部１０２１から前述の指示を受けると、送信レジスタ１０２３ｂから通信速度が「１００Ｍｂｉｔ／ｓｅｃ」である送信モード設定値を読み出す。その後、送受信制御部１０１５は、ＥＥＰＲＯＭ１０１２のゲート回路開閉リストを参照し、読み出した送信モード設定値「１００Ｍｂｉｔ／ｓｅｃ」に対応するゲート回路１０１１ｅが「閉」、ゲート回路１０１１ｆが「閉」、ゲート回路１０１１ｇが「開」、及び、ゲート回路１０１１ｈが「開」と記述されたゲート回路開閉情報を読み出す。
【００５１】
次に、送受信制御部１０１５は、読み出したゲート回路開閉情報に従い、ゲートを閉じさせる要求をゲート回路１０１１ｅ及びゲート回路１０１１ｆに出力するとともに、ゲートを開けさせる要求をゲート回路１０１１ｇ及びゲート回路１０１１ｈに出力する。
【００５２】
ゲート回路１０１１ｅ及びゲート回路１０１１ｆはゲートを閉じ、ゲート回路１０１１ｇ及びゲート回路１０１１ｈはゲートを開けさせ（ステップＳ１１）、処理を終了させる。これにより、低速送信部１０１１ｃは、上位装置５０に情報を送信することが可能な状態になり、また、低速受信部１０１１ｄは、上位装置５０から情報を受信することが可能状態になる。
【００５３】
ステップＳ３において、通信速度判定制御部１０２１は、受信レジスタ１０２３ａに記憶されている受信モード設定値が高速モード設定値でないと判定した場合には（ステップＳ３；Ｎ）、送信レジスタ１０２３ｂに低速モード設定値を送信モード設定値として書き込むことなしに、信号生成部１０１６が通信速度宣言情報を作成するために必要な送信モード設定値を、信号生成部１０１６に出力させる要求を送受信制御部１０１５に出力する。
【００５４】
送受信制御部１０１５は、前述の要求が通信速度判定制御部１０２１から入力されると、送信レジスタ１０２３ｂから通信速度が「１００Ｍｂｉｔ／ｓｅｃ」である送信モード設定値を読み出し、この送信モード設定値を信号生成部１０１６に出力する。
【００５５】
信号生成部１０１６は、送受信制御部１０１５から前述の送信モード設定値が入力されると、自装置の通信速度が「１００Ｍｂｉｔ／ｓｅｃ」であることを宣言する通信速度宣言情報を生成し、この通信速度宣言情報を低速送信部１０１１ｃに出力する。
【００５６】
低速送信部１０１１ｃは、パルストランス１３を介して前述の通信速度宣言情報を上位装置５０に送信する（ステップＳ１２）。
【００５７】
その後、低速受信部１０１１ｄは、パルストランス１３を介して上位装置５０から、通信スピードが「１００Ｍｂｉｔ／ｓｅｃ」で印刷データを受信すると（ステップＳ１３）、ステップＳ８に処理を移行させ、上述したと同様な処理を続行させる。
【００５８】
ステップＳ２において、通信速度判定制御部１０２１は、電源部１２のヒータ制御回路１２１から入力されている信号が節電モード信号であると判定した場合には（ステップＳ２；Ｙ）、受信レジスタ１０２３ａに記憶されている受信モード設定値が通信速度「１００Ｍｂｉｔ／ｓｅｃ」の高速モード設定値であるか否かを判定する（ステップＳ１４）。
【００５９】
通信速度判定制御部１０２１は、受信レジスタ１０２３ａに記憶されている受信モード設定値が高速モード設定値であると判定した場合には（ステップＳ１４；Ｙ）、通信モード設定値記憶部１０２２の低速モード設定値領域１０２２ａから通信速度「１００Ｍｂｉｔ／ｓｅｃ」である低速モード設定値を読み出し、この低速モード設定値を送信モード設定値として送信レジスタ１０２３ｂに書き込む（ステップＳ１５）。次に、通信速度判定制御部１０２１は、低速送信部１０１１ｃ及び低速受信部１０１１ｄを介して、上位装置５０との間で通信接続が可能な状態にすることを要求する指示を通信制御部１０１の送受信制御部１０１５に出力する。
【００６０】
送受信制御部１０１５は、通信速度判定制御部１０２１から前述の指示を受けると、送受信レジスタ部１０２３の送信レジスタ１０２３ｂから通信速度が「１００Ｍｂｉｔ／ｓｅｃ」である送信モード設定値を読み出す。その後、送受信制御部１０１５は、ＥＥＰＲＯＭ１０１２のゲート回路開閉リストを参照し、読み出した送信モード設定値「１００Ｍｂｉｔ／ｓｅｃ」に対応するゲート回路１０１１ｅが「閉」、ゲート回路１０１１ｆが「閉」、ゲート回路１０１１ｇが「開」、及び、ゲート回路１０１１ｈが「開」と記述されたゲート回路開閉情報を読み出す。
【００６１】
次に、送受信制御部１０１５は、読み出したゲート回路開閉情報に従い、ゲートを閉じさせる要求をゲート回路１０１１ｅ及びゲート回路１０１１ｆに出力するとともに、ゲートを開かせる要求をゲート回路１０１１ｇ及びゲート回路１０１１ｈに出力する。
【００６２】
ゲート回路１０１１ｅ及びゲート回路１０１１ｆはゲートを閉じ、ゲート回路１０１１ｇ及びゲート回路１０１１ｈはゲートを開ける（ステップＳ１６）。これにより、低速送信部１０１１ｃは、上位装置５０に情報を送信することが可能な状態になり、また、低速受信部１０１１ｄは、上位装置５０から情報又は印刷データを受信することが可能な状態になる。
【００６３】
その後、送受信制御部１０１５は、通信速度が「１００Ｍｂｉｔ／ｓｅｃ」である送信モード設定値を信号生成部１０１６に出力する。
【００６４】
信号生成部１０１６は、送受信制御部１０１５から前述送信モード設定値が入力されると、自装置の通信速度が「１００Ｍｂｉｔ／ｓｅｃ」であることを宣言する通信速度宣言情報を生成し、この通信速度宣言情報を低速送信部１０１１ｃに出力する。
【００６５】
低速送信部１０１１ｃは、パルストランス１３を介して前述の通信速度宣言情報を上位装置５０に送信する（ステップＳ１７）。
【００６６】
その後、低速受信部１０１１ｄは、パルストランス１３を介して上位装置５０から、通信スピードが「１００Ｍｂｉｔ／ｓｅｃ」で印刷データを受信すると（ステップＳ１８）、この印刷データをＭＡＣ部１０１４に出力し、ステップＳ８に処理を移行し、上述したと同様な処理を続行する。
【００６７】
ステップＳ１４において、通信速度判定制御部１０２１は、受信レジスタ１０２３ａに記憶されている受信モード設定値が高速モード設定値でないと判定した場合には（ステップＳ１４；Ｎ）、送信レジスタ１０２３ｂに低速モード設定値を送信モード設定値として書き込むことなしに、信号生成部１０１６が通信速度宣言情報を作成するために必要な送信モード設定値を、信号生成部１０１６に出力させる要求を送受信制御部１０１５に出力する。
【００６８】
送受信制御部１０１５は、前述の要求が通信速度判定制御部１０２１から入力されると、送信レジスタ１０２３ｂから通信速度が「１００Ｍｂｉｔ／ｓｅｃ」である送信モード設定値を読み出し、この送信モード設定値を信号生成部１０１６に出力する。
【００６９】
信号生成部１０１６は、送受信制御部１０１５から前述の送信モード設定値が入力されると、自装置の通信速度が「１００Ｍｂｉｔ／ｓｅｃ」であることを宣言する通信速度宣言情報を生成し、この通信速度宣言情報を低速送信部１０１１ｃに出力する。
【００７０】
低速送信部１０１１ｃは、パルストランス１３を介して前述の通信速度宣言情報を上位装置５０に送信する（ステップＳ１９）。
【００７１】
その後、低速受信部１０１１ｄは、パルストランス１３を介して上位装置５０から、通信スピードが「１００Ｍｂｉｔ／ｓｅｃ」で印刷データを受信すると（ステップＳ２０）、ステップＳ８に処理を移行させ、上述したと同様な処理を続行させる。
【００７２】
図６のフローチャートは、上位装置５０から印刷データを受信したのち、この印刷データを印刷し、節電モード信号を出力するまでの動作を示している。プリンタ制御部１０３は、印刷データを記憶した旨の通知が送受信制御部１０１５から入力されると、送受信制御部１０１５を介してメモリ部１０１３から印刷データを読み出す。次に、プリンタ制御部１０３は、読み出した印刷データから、プリンタエンジン１１が印刷媒体に印刷することが可能なビットマップデータを形成し、内蔵するＲＡＭに記憶させたのち（ステップＳ２１）、電源部１２のヒータ制御回路１２１に対して、定着器の温度を印刷可能な温度に加温することを要求する指示を出力する。
【００７３】
ヒータ制御回路１２１は、プリンタ制御部１０３から入力された前述の指示に従い、定着器の温度を印刷可能な温度に加温するための電力を電源部１２からプリンタエンジン１１に供給させる。
【００７４】
プリンタエンジン１１は、電源部１２から供給された電力により、定着器の温度を印刷可能な温度に加温し始める（ステップＳ２２）。
【００７５】
その後、プリンタエンジン１１は、定着器の温度が印刷可能な温度になったか否かを判定し（ステップＳ２３）、定着器の温度が印刷可能な温度になっていないと判定した場合には（ステップＳ２３；Ｎ）、印刷可能な温度になるまで待機し、一方、印刷可能な温度になったと判定した場合には（ステップＳ２３；Ｙ）、その旨の通知をプリンタ制御部１０３に出力する。
【００７６】
プリンタ制御部１０３は、プリンタエンジン１１から前述の通知が入力されると、送受信制御部１０１５を介してメモリ部１０１３から印刷データを読み出し、内蔵するＲＡＭに記憶させる。次に、プリンタ制御部１０３は、ＲＡＭに記憶されている印刷データを順次読み出し、プリンタエンジン１１に出力する。
【００７７】
プリンタエンジン１１は、プリンタ制御部１０３から入力された印刷データを印刷媒体に印刷する（ステップＳ２４）。
【００７８】
プリンタ制御部１０３は、ＲＡＭに記憶されている印刷データのうち、未だ読み出されていない印刷データがあるか否かを判定する（ステップＳ２５）。プリンタ制御部１０３は、ＲＡＭに記憶されている印刷データのうち、未だ読み出されていない印刷データがあると判定した場合には（ステップＳ２５；Ｎ）、未だ読み出されていない印刷データを読み出してプリンタエンジン１１に出力する。一方、プリンタ制御部１０３は、ＲＡＭに記憶されている印刷データのうち、未だ読み出されていない印刷データがないと判定した場合には（ステップＳ２５；Ｙ）、電源部１２のタイマ１２２に対して予め決められた期間を計時することを要求する指示を出力する。
【００７９】
タイマ１２２は、前述の指示がプリンタ制御部１０３から入力されると、前述の期間の計時を開始する（ステップＳ２６）。
【００８０】
電源部１２のヒータ制御回路１２１は、前述の期間の計時が終了した旨の通知がタイマ１２２から入力されたか否かを判定する（ステップＳ２７）。ヒータ制御回路１２１は、前述の期間の計時が終了した旨の通知がタイマ１２２から入力されていないと判定した場合には（ステップＳ２７；Ｎ）、前述の期間の計時が終了した旨の通知がタイマ１２２から入力されるまで待機する。ヒータ制御回路１２１は、前述の期間の計時が終了した旨の通知がタイマ１２２から入力されたと判定した場合には（ステップＳ２７；Ｙ）、省電力を図るため、加温を停止することを要求する指示を電源部１２からプリンタエンジン１１に出力させる（ステップＳ２８）。
【００８１】
プリンタエンジン１１は、定着器の温度が省電力を図るための温度に低下すると、その旨の通知をヒータ制御回路１２１に出力する。
【００８２】
ヒータ制御回路１２１は、節電モード信号を通信モード設定部１０２の通信速度判定制御部１０２１に出力し（ステップＳ２９）、処理を終了する。
【００８３】
実施例１によれば、通信速度判定制御部１０２１が、節電モードになったことを検出した場合には、上位装置５０との間の通信速度を高速な通信速度から低速な通信速度に切り替えることを要求する指示を送受信制御部１０１５に出力し、送受信制御部１０１５がこの指示に従い、低速送信部１０１１ｃ及び低速受信部１０１１ｄを介して上位装置５０との間で通信接続が可能な状態にし、通信速度を高速な通信速度から低速な通信速度に切り替えるので、節電モード中に上位装置５０から情報又は印刷データを受信したときの消費電力を抑えることができる。
【００８４】
また、実施例１によれば、通信速度判定制御部１０２１が、非節電モードになったことを検出した場合には、上位装置５０との間の通信速度を低速な通信速度から高速な通信速度に切り替えることを要求する指示を送受信制御部１０１５に出力し、送受信制御部１０１５がこの指示に従い、高速送信部１０１１ａ及び高速受信部１０１１ｂを介して上位装置５０との間で通信接続が可能な状態にし、通信速度を低速な通信速度から高速な通信速度に切り替えるので、上位装置５０が送信する印刷データを高速に受信することができ、このため、印刷処理を高速に行うことができる。
【実施例２】
【００８５】
図７は、本発明に係る実施例２の画像処理装置の構成を示すブロック図である。図７に示すように、実施例２の画像処理装置は、実施例１のものと同様、上位装置５０とＬＡＮを介して通信接続され、上位装置５０から印刷データを受信すると、この印刷データを印刷媒体に印刷する装置であって、画像形成制御部２０と、プリンタエンジン２１と、電源部２２と、パルストランス２３（図８参照）とを備える。
【００８６】
プリンタエンジン２１、電源部２２、及び、パルストランス２３それぞれは、実施例１のプリンタエンジン１１、及び、パルストランス１３のものと同一である。
【００８７】
画像形成制御部２０は、通信制御部２０１、通信モード設定部２０２、及び、プリンタ制御部２０３とを備える。通信制御部２０１は、図８に示すように、ＰＨＹ部２０１１、ＥＥＰＲＯＭ２０１２、メモリ部２０１３、ＭＡＣ部２０１４、送受信制御部２０１５、及び、信号生成部２０１６を備える。ここで、ＰＨＹ部２０１１、ＥＥＰＲＯＭ２０１２、メモリ部２０１３、ＭＡＣ部２０１４、及び、信号生成部２０１６のそれぞれは、実施例１のＰＨＹ部１０１１、ＥＥＰＲＯＭ１０１２、メモリ部１０１３、ＭＡＣ部１０１４、及び、信号生成部１０１６のものと同一である。
【００８８】
送受信制御部２０１５は、実施例１のものと同じ機能を有するとともに、更に、容量判断部として、上位装置５０から送信されてきた印刷データを記憶する容量がメモリ部２０１３にあるか否かを判定し、上位装置５０から送信されてきた印刷データを記憶する容量がメモリ部２０１３にないと判定した場合には、その旨の通知を通信モード設定部２０２の通信速度判定制御部２０２１（図９参照）に出力する機能を備えている。
【００８９】
信号生成部２０１６は、実施例１のものと同じ機能を有するとともに、更に、送受信制御部２０１５を介して印刷データの送信停止要求を生成させる指示が通信速度判定制御部２０２１から入力されると、印刷データの送信停止要求を生成し、この送信停止要求を高速送信部２０１１ａに出力する機能を備える。また、信号生成部２０１６は、送受信制御部２０１５を介して印刷データの送信再開要求を生成させる指示が通信速度判定制御部２０２１から入力されると、印刷データの送信再開要求を生成し、この印刷データの送信再開要求を低速送信部２０１１ｃに出力する機能を更に備えている。
【００９０】
図７に示す通信モード設定部２０２は、図９に示すように、通信速度判定制御部２０２１と、通信モード設定値記憶部２０２２と、送受信レジスタ部２０２３とを備える。ここで、通信モード設定値記憶部２０２２及び送受信レジスタ部２０２３のそれぞれは、実施例１の通信モード設定値記憶部１０２２及び送受信レジスタ部１０２３と同一である。
【００９１】
通信速度判定制御部２０２１は、実施例１のものと同じ機能を有するとともに、更に、通信制御部２０１の送受信制御部２０１５から、上位装置５０から送信されてきた印刷データを記憶する容量がメモリ部２０１３にない旨の通知が入力されると、通信モード設定値記憶部２０２２の低速モード設定値領域２０２２ａから低速モード設定値を読み出し、この低速モード設定値を送受信レジスタ部２０２３の送信レジスタ２０２３ｂに書き込む。その後、通信速度判定制御部２０２１は、低速送信部２０１１ｃ及び低速受信部２０１１ｄを介して、上位装置５０との間で通信接続が可能な状態にすることを要求する指示を通信制御部２０１の送受信制御部２０１５に出力する機能を備えている。
【００９２】
次に、本発明に係る実施例２の画像処理装置の動作を説明する。
【００９３】
図１０は、本発明に係る実施例２の画像処理装置の動作を示すフローチャートである。印刷データを受信したのち（ステップＳ３１）、送受信制御部２０１５は、送信されてくる印刷データを記憶する容量がメモリ部２０１３にあるか否かを判定する（ステップＳ３２）。送受信制御部２０１５は、送信されてくる印刷データを記憶する容量がメモリ部２０１３にないと判定した場合には（ステップＳ３２；Ｎ）、その旨の通知を通信速度判定制御部２０２１に出力する。
【００９４】
通信速度判定制御部２０２１は、前述の通知が送受信制御部２０１５から入力されると、送受信レジスタ部２０２３の受信レジスタ２０２３ａから受信モード設定値を読み出し、この読み出した受信モード設定値が高速モード設定値であるか否かを判定する（ステップＳ３３）。通信速度判定制御部２０２１は、この読み出した受信モード設定値が高速モード設定値でないと判定した場合には（ステップＳ３３；Ｎ）、メモリ部２０１３に印刷データを記憶させることができないため、処理を終了させる。
【００９５】
一方、通信速度判定制御部２０２１は、この読み出した受信モード設定値が高速モード設定値であると判定した場合には（ステップＳ３３；Ｙ）、送受信制御部２０１５を介して印刷データの送信停止要求を生成させる指示を信号生成部２０１６に出力する。
【００９６】
その後、信号生成部２０１６は、前述の指示に従い、印刷データの送信停止要求を生成し、この送信停止要求を高速送信部２０１１ａに出力する。
【００９７】
高速送信部２０１１ａは、パルストランス２３を介して上位装置５０に前述の送信停止要求を送信する（ステップＳ３４）。これにより、上位装置５０は、印刷データの送信を停止する。
【００９８】
その後、信号生成部２０１６は、上位装置５０の通信速度を低速な「１００Ｍｂｉｔ／ｓｅｃ」に設定させる要求を生成し、この要求を高速送信部２０１１ａに出力する。
【００９９】
高速送信部２０１１ａは、パルストランス２３を介して上位装置５０に前述の要求を送信する（ステップＳ３５）。これにより、上位装置５０は、通信速度を低速な「１００Ｍｂｉｔ／ｓｅｃ」に設定する。
【０１００】
その後、通信速度判定制御部２０２１は、通信モード設定値記憶部２０２２の低速モード設定値領域２０２２ａから通信速度が「１００Ｍｂｉｔ／ｓｅｃ」である低速モード設定値を読み出し、この読み出した低速モード設定値を送信レジスタ２０２３ｂに書き込む（ステップＳ３６）。次に、通信速度判定制御部２０２１は、低速送信部２０１１ｃ及び低速受信部２０１１ｄを介して上位装置５０との間で通信接続することが可能な状態にさせる要求を通信制御部２０１の送受信制御部２０１５に出力する。
【０１０１】
送受信制御部２０１５は、通信速度判定制御部２０２１から上記要求を受けると、送受信レジスタ部２０２３の送信レジスタ２０２３ｂから通信速度が「１００Ｍｂｉｔ／ｓｅｃ」である送信モード設定値を読み出す。その後、送受信制御部２０１５は、ＥＥＰＲＯＭ２０１２のゲート回路開閉リストを参照し、読み出した送信モード設定値「１００Ｍｂｉｔ／ｓｅｃ」に対応するゲート回路２０１１ｅが「閉」、ゲート回路２０１１ｆが「閉」、ゲート回路２０１１ｇが「開」、及び、ゲート回路２０１１ｈが「開」と記述されたゲート回路開閉情報を読み出す。
【０１０２】
次に、送受信制御部２０１５は、読み出したゲート回路開閉情報に従い、ゲートを閉じさせる要求をゲート回路２０１１ｅ及びゲート回路２０１１ｆに出力するとともに、ゲートを開かせる要求をゲート回路２０１１ｇ及びゲート回路２０１１ｈに出力する。
【０１０３】
送受信制御部２０１５から上記要求が入力されると、ゲート回路２０１１ｅ及びゲート回路２０１１ｆはゲートを閉じ、ゲート回路２０１１ｇ及びゲート回路２０１１ｈはゲートを開く（ステップＳ３７）。これにより、低速送信部２０１１ｃは、上位装置５０に情報を送信することが可能となり、また、低速受信部２０１１ｄは、上位装置５０から情報を受信することが可能となる。
【０１０４】
その後、送受信制御部２０１５は、印刷データの送信再開要求を生成させる指示を信号生成部２０１６に出力する。
【０１０５】
信号生成部２０１６は、送受信制御部２０１５から前述の指示が入力されると、印刷データの送信再開要求を生成し、この印刷データの送信再開要求を低速送信部２０１１ｃに出力する。
【０１０６】
低速送信部２０１１ｃは、信号生成部２０１６から入力された前述の送信再開要求を、パルストランス２３を介して上位装置５０に送信し（ステップＳ３８）、ステップＳ２１に処理を移行させる、上述したと同様な処理を続行する。これにより、上位装置５０は、通信速度が「１００Ｍｂ／ｓｅｃ」で、停止されている印刷データの送信を再開する。
【０１０７】
ステップＳ２２において、送受信制御部２０１５は、送信されてくる印刷データを記憶する容量がメモリ部２０１３あると判定した場合には（ステップＳ３２；Ｙ）、上位装置５０から受信した印刷データをメモリ部２０１３に記憶し（ステップＳ３９）、処理を終了する。
【０１０８】
この実施例２によれば、実施例１の効果を有するとともに、更に、送受信制御部２０１５により、上位装置５０から送信されてきた印刷データを記憶させる容量がメモリ部２０１３にないと判定された場合には、通信モード設定部２０２及び通信制御部２０１が上位装置５０との間の通信接続を高速な通信速度から低速な通信速度に切り替るので、通信制御部２０１のメモリ部２０１３に印刷データがあふれることがなくなる。このため、上位装置５０の間で印刷データの再送処理を行う必要が無くなり、結果的に装置自体の印刷処理を高速に行うことができるとともに、消費電力を抑えることができる。
【産業上の利用可能性】
【０１０９】
上述した本発明に係る実施例１及び実施例２の画像処理装置は、電子写真方式のプリンタのものであったが、スキャナ、ファクシミリ、ＭＰＦ等にも適用が可能である。
【図面の簡単な説明】
【０１１０】
【図１】本発明に係る実施例１の画像処理装置の構成を示すブロック図である。
【図２】図１中の通信制御部の構成を示すブロック図である。
【図３】ゲート回路開閉リストを示す図である。
【図４】図１中の通信モード設定部の構成を示すブロック図である。
【図５】本発明に係る実施例１の画像処理装置の動作を示すフローチャートである。
【図６】本発明に係る実施例１の画像処理装置の動作を示すフローチャートである。
【図７】本発明に係る実施例２の画像処理装置の構成を示すブロック図である。
【図８】図７中の通信制御部の構成を示すブロック図である。
【図９】図７中の通信モード設定部の構成を示すブロック図である。
【図１０】本発明に係る実施例２の画像処理装置の動作を示すフローチャートである。
【符号の説明】
【０１１１】
１０  画像形成制御部
１０１、２０１  通信制御部
１０１１、２０１１  ＰＨＹ部
１０１１ａ、２０１１ａ  高速送信部
１０１１ｂ、２０１１ｂ  高速受信部
１０１１ｃ、２０１１ｃ  低速送信部
１０１１ｄ、２０１１ｄ  低速受信部
１０１１ｅ、１０１１ｆ、１０１１ｇ、１０１１ｈ、２０１１ｅ、２０１１ｆ、２０１１ｇ、２０１１ｈ  ゲート回路
１０１２、２０１２  ＥＥＰＲＯＭ
１０１３、２０１３  メモリ部
１０１４、２０１４  ＭＡＣ部
１０１５、２０１５  送受信制御部
１０１６、２０１６  信号生成部
１０２、２０２  通信モード設定部
１０２１、２０２１  通信速度判定制御部
１０２２、２０２２  通信モード設定記憶部
１０２２ａ、２０２２ａ  低速モード設定値領域
１０２２ｂ、２０２２ｂ  高速モード設定値領域
１０２３、２０２３  送受信レジスタ部
１０２３ａ、２０２３ａ  受信レジスタ
１０２３ｂ、２０２３ｂ  送信レジスタ
１０３、２０３  プリンタ制御部  
１１  プリンタエンジン
１２  電源部
１２１、２２１  ヒータ制御回路
１２２、２２２  タイマ
１３、２３  パルストランス
５０  上位装置
【図１】
2010076325.tif 000003
【図２】
2010076325.tif 000004
【図３】
2010076325.tif 000005
【図４】
2010076325.tif 000006
【図５】
2010076325.tif 000007
【図６】
2010076325.tif 000008
【図７】
2010076325.tif 000009
【図８】
2010076325.tif 000010
【図９】
2010076325.tif 000011
【図１０】
2010076325.tif 000012